(57)【特許請求の範囲】
【請求項１】
第１の端子および第２の端子を有する電池パック（１２）と、
前記電池パックに電気的に結合された第１および第２の電気負荷（１１Ａ、１１Ｂ）と、
第１のワイヤハーネス組立体（１３）および第２のワイヤハーネス組立体（１４）とを備える装置であって、
第１のワイヤハーネス組立体（１３）および第２のワイヤハーネス組立体（１４）の各々は、
第１の絶縁性ジャケット（１２４）によって少なくとも部分的に軸方向に取り囲まれた第１の遮蔽導体（１３０）によって少なくとも部分的に軸方向に取り囲まれた第１のコア導体（１１６）を有する第１の遮蔽されたワイヤケーブル（１１０）と、
第２の絶縁性ジャケット（１２６）によって少なくとも部分的に軸方向に取り囲まれた第２の遮蔽導体（１３２）によって少なくとも部分的に軸方向に取り囲まれた第２のコア導体（１１８）を有する第２の遮蔽されたワイヤケーブル（１１２）と、
第３の絶縁性ジャケット（１２８）によって少なくとも部分的に軸方向に取り囲まれた第３の遮蔽導体（１３４）によって少なくとも部分的に軸方向に取り囲まれた第３のコア導体（１２０）を有する第３の遮蔽されたワイヤケーブル（１１４）とを備え、前記第１、第２、および第３のコア導体（１１６、１１８、１２０）は、直接的に接合された部分（１２２）を形成し、前記第１、第２、および第３の遮蔽導体（１３０、１３２、１３４）は、互いから物理的に分離され、さらに、第１のワイヤハーネス組立体（１３）および第２のワイヤハーネス組立体（１４）の各々は、
長手方向軸線（Ａ）ならびに前記第１、第２、および第３の遮蔽導体（１３０、１３２、１３４）の一部分を封入する第１の軸方向通路を画定し、前記第１の遮蔽導体（１３０）に取り付けられる第１の接点（１６２）、前記第２の遮蔽導体（１３２）に取り付けられる第２の接点（１６４）、および前記第３の遮蔽導体（１３４）に取り付けられる第３の接点（１６６）を画定する導電性スリーブ（１６０）であって、前記第１、第２、および第３の絶縁性ジャケット（１２４、１２６、１２８）は、互いから分離され、前記第１、第２、および第３の遮蔽導体（１３０、１３２、１３４）の封入された部分は、前記長手方向軸線（Ａ）に対して実質的に平行である、導電性スリーブ（１６０）と、
前記第１、第２、および第３の絶縁性ジャケット（１２４、１２６、１２８）と封止可能に係合し、前記導電性スリーブ（１６０）を封入する外側絶縁体（１８２）とを備えており、
前記第１のワイヤハーネス組立体（１３）の第１の遮蔽されたワイヤケーブル（１３Ａ）が、前記第１の端子に連結され、前記第１のワイヤハーネス組立体（１３）の第２の遮蔽されたワイヤケーブル（１３Ｂ）が、前記第１の電気負荷（１１Ａ）に連結され、前記第１のワイヤハーネス組立体（１３）の第３の遮蔽されたワイヤケーブル（１３Ｃ）が、前記第２の電気負荷（１１Ｂ）に連結され、
前記第２のワイヤハーネス組立体（１４）の第１の遮蔽されたワイヤケーブル（１４Ａ）が、可溶性連結部（１５）を介して前記第２の端子に連結され、前記第２のワイヤハーネス組立体（１４）の第２の遮蔽されたワイヤケーブル（１４Ｂ）が、前記第１の電気負荷（１１Ａ）に連結され、前記第２のワイヤハーネス組立体（１４）の第３の遮蔽されたワイヤケーブル（１４Ｃ）が、前記第２の電気負荷（１１Ｂ）に連結される、装置。
【請求項２】
前記第１および第２の電気負荷（１１Ａ、１１Ｂ）と連通し、前記第１および第２の電気負荷（１１Ａ、１１Ｂ）を、前記第２のワイヤハーネス組立体（１４）の前記第１の遮蔽されたワイヤケーブル（１４Ａ）を流れる電流が、前記可溶性連結部（１５）を開くのに必要とされる閾値未満であるように制御するように構成された制御装置（２２）をさらに備える、請求項１に記載の装置。
【請求項３】
第１および第２のワイヤハーネス組立体（１３、１４）の各対が、１つだけの可溶性連結部（１５）に連結される、請求項１に記載の装置。
【請求項４】
第１の端子および第２の端子を有する電池パック（１２）と、
前記電池パック（１２）に電気的に結合された第１および第２の電気負荷（１１Ａ、１１Ｂ）と、
第１のワイヤハーネス組立体（１３）であって、
第１の絶縁性ジャケット（１２４）によって少なくとも部分的に軸方向に取り囲まれた第１の遮蔽導体（１３０）によって少なくとも部分的に軸方向に取り囲まれた第１のコア導体（１１６）を有する第１の遮蔽されたワイヤケーブル（１３Ａ）と、
第２の絶縁性ジャケット（１２６）によって少なくとも部分的に軸方向に取り囲まれた第２の遮蔽導体（１３２）によって少なくとも部分的に軸方向に取り囲まれた第２のコア導体（１１８）を有する第２の遮蔽されたワイヤケーブル（１３Ｂ）と、
第３の絶縁性ジャケット（１２８）によって少なくとも部分的に軸方向に取り囲まれた第３の遮蔽導体（１３４）によって少なくとも部分的に軸方向に取り囲まれた第３のコア導体を有する第３の遮蔽されたワイヤケーブル（１３Ｃ）とを含み、前記第１、第２、および第３のコア導体（１１６、１１８、１２０）は、直接的に接合され（１２２）、前記第１、第２、および第３の遮蔽導体（１３０、１３２、１３４）は、互いに電気的結合され、前記第１の遮蔽されたワイヤケーブル（１１０）は、前記第１の端子に連結され、前記第２の遮蔽されたワイヤケーブル（１１２）は、前記第１の電気負荷に連結され、前記第３の遮蔽されたワイヤケーブル（１１４）は、前記第２の電気負荷（１１Ｂ）に連結される、第１のワイヤハーネス組立体（１３）と、
第２のワイヤハーネス組立体（１４）であって、
第４の絶縁性ジャケット（１２４）によって少なくとも部分的に軸方向に取り囲まれた第４の遮蔽導体（１３０）によって少なくとも部分的に軸方向に取り囲まれた第４のコア導体（１１６）を有する第４の遮蔽されたワイヤケーブル（１４Ａ）と、
第５の絶縁性ジャケット（１２６）によって少なくとも部分的に軸方向に取り囲まれた第５の遮蔽導体（１３２）によって少なくとも部分的に軸方向に取り囲まれた第５のコア導体（１１８）を有する第５の遮蔽されたワイヤケーブル（１４Ｂ）と、
第６の絶縁性ジャケット（１２８）によって少なくとも部分的に軸方向に取り囲まれた第６の遮蔽導体（１３４）によって少なくとも部分的に軸方向に取り囲まれた第６のコア導体（１２０）を有する第６の遮蔽されたワイヤケーブル（１４Ｃ）とを含み、前記第４、第５、および第６のコア導体（１１６、１１８、１２０）は、直接的に接合され（１２２）、前記第４、第５、および第６の遮蔽導体（１３０、１３２、１３４）は、互いに電気的結合され、前記第４の遮蔽されたワイヤケーブル（１４Ａ）は、可溶性連結部（１５）を介して前記第２の端子に連結され、前記第５の遮蔽されたワイヤケーブル（１４Ｂ）は、前記第１の電気負荷（１１Ａ）に連結され、前記第６の遮蔽されたワイヤケーブル（１４Ｃ）は、前記第２の電気負荷（１１Ｂ）に連結される、第２のワイヤハーネス組立体（１４）とを備える、装置。
【請求項５】
前記第１および第２の電気負荷（１１Ａ、１１Ｂ）と連通し、前記第１および第２の電気負荷（１１Ａ、１１Ｂ）を、前記第４の遮蔽されたワイヤケーブル（１４Ａ）を流れる電流が、前記可溶性連結部を開くのに必要とされる閾値未満であるように制御するように構成された制御装置（２２）をさらに備える、請求項４に記載の装置。
【請求項６】
第１および第２のワイヤハーネス組立体（１３、１４）の各対が、１つだけの可溶性連結部（１５）に連結される、請求項４に記載の装置。
【発明の詳細な説明】
【技術分野】
【０００１】
[0001]本発明は、一般に、遮蔽されたワイヤケーブルを接合するためのスプライス接続装置および方法に関する。
【発明の概要】
【発明が解決しようとする課題】
【０００２】
[0002]遮蔽されたワイヤケーブルは、一般に、絶縁された中心導体と、中心導体絶縁材を取り囲む別個の絶縁された遮蔽導体とを含む。遮蔽導体は、編組されたワイヤメッシュ、金属箔、または金属化薄膜からなることができる。ケーブルは、一般に、遮蔽導体を覆う第２の絶縁層を有する。遮蔽されたワイヤケーブルは、ケーブルテレビ伝送線などの通信システムに長い間使用されてきている。遮蔽されたワイヤケーブルはまた、電気およびハイブリッド電気車両における高電圧用途にも使用を見出している。遮蔽されたワイヤケーブルが一緒にスプライス接続されるとき、遮蔽導体の導通を維持するために、スプライス接続されたケーブルの遮蔽導体および中心導体を電気的に連結する必要がある。遮蔽導体を相互連結することは複雑になることがあり、その理由は、中心導体を接合するために、遮蔽導体は、ケーブルのスプライス接続された端部から切り戻されなければならないためである。遮蔽導体を相互連結することは、時にＹ−スプライス接続と称される一対多のスプライス接続構造ではさらに複雑になり得る。
【０００３】
[0003]上記の部分で論じられた主題は、当該部分におけるその言及の結果だけで従来技術であると想定されてはならない。同様に、上記の部分で言及された、または上記の部分の主題に関連付けられた問題は、従来技術においてすでに認識されていると想定されてはならない。上記の部分の主題は、それ自体発明にもなり得るさまざまな方法を表すにすぎない。
【課題を解決するための手段】
【０００４】
[0004]本発明の１つの実施形態によれば、ワイヤハーネス組立体が提供される。ワイヤハーネス組立体は、第１の絶縁性ジャケットによって少なくとも部分的に軸方向に取り囲まれた第１の遮蔽導体によって少なくとも部分的に軸方向に取り囲まれた第１のコア導体を有する第１の遮蔽されたワイヤケーブルと、第２の絶縁性ジャケットによって少なくとも部分的に軸方向に取り囲まれた第２の遮蔽導体によって少なくとも部分的に軸方向に取り囲まれた第２のコア導体を有する第２の遮蔽されたワイヤケーブルと、第３の絶縁性ジャケットによって少なくとも部分的に軸方向に取り囲まれた第３の遮蔽導体によって少なくとも部分的に軸方向に取り囲まれた第３のコア導体を有する第３の遮蔽されたワイヤケーブルとを含み、この場合、第１、第２、および第３のコア導体は、直接的に接合された部分を形成し、第１、第２、および第３の遮蔽導体は、互いから物理的に分離される。ワイヤハーネス組立体はまた、長手方向軸線ならびに第１、第２、および第３の遮蔽導体の一部分を封入する第１の軸方向通路を画定し、第１の遮蔽導体に取り付けられる第１の接点、第２の遮蔽導体に取り付けられる第２の接点、および第３の遮蔽導体に取り付けられる第３の接点を画定する導電性スリーブも含み、この場合、第１、第２、および第３の絶縁性ジャケットは、互いから分離され、第１、第２、および第３の遮蔽導体の封入された部分は、長手方向軸線に対して実質的に平行である。ワイヤケーブル組立体は、さらに、第１、第２、および第３の絶縁性ジャケットと封止可能に係合し導電性スリーブを封入する外側絶縁体を含む。
【０００５】
[0005]ワイヤハーネス組立体は、第１の軸方向通路内に配設され、第１、第２、および第３のコア導体の接合された部分を封入する第２の軸方向通路を画定する内側絶縁体を含むことができる。内側絶縁体およびスリーブは、略楕円の断面を有することができる。第２の軸方向通路の一部分は、単一の遮蔽されたケーブルだけが、第２の軸方向通路のその部分内に配設され得るように狭くされ得る。スリーブは、第１の接点を形成するように構成された圧着翼を画定することができ、スリーブは、第２および第３の接点を形成するように構成されたＵ字形状のスロットを画定することができる。第１、第２、および第３の接点はそれぞれ、第１、第２、および第３の接点の内部へのはんだペーストの注入を可能にするように構成された穴を画定することができる。ワイヤハーネス組立体は、さらに、第１、第２、および第３の遮蔽導体の各々に取り付けられる複数のフェルール（ferrule）を含むことができ、この場合、第１、第２、および第３の接点は、複数のフェルールの少なくとも１つにおいて取り付けられる。複数のフェルール内の少なくとも１つのフェルールは、はんだから形成され得る。
【０００６】
[0006]ワイヤハーネス組立体の別の実施形態によれば、第１、第２、および第３の接点は、複数のフェルールによって第１、第２、および第３の外側導体それぞれに取り付けられ得る。スリーブは、第２のスリーブ部分に接合されるように構成された第１のスリーブ部分を含むことができ、内側絶縁体は、第２の内側絶縁体部分に接合されるように構成された第１の内側絶縁体部分を含むことができる。
【０００７】
[0007]本発明のさらに別の実施形態では、遮蔽されたワイヤケーブルを一緒にスプライス接続する方法が、提供される。方法は、第１の絶縁性ジャケットによって少なくとも部分的に軸方向に取り囲まれた第１の遮蔽導体によって少なくとも部分的に軸方向に取り囲まれた第１のコア導体を有する第１の遮蔽されたワイヤケーブルを用意するステップと、第２の絶縁性ジャケットによって少なくとも部分的に軸方向に取り囲まれた第２の遮蔽導体によって少なくとも部分的に軸方向に取り囲まれた第２のコア導体を有する第２の遮蔽されたワイヤケーブルを用意するステップと、第３の絶縁性ジャケットによって少なくとも部分的に軸方向に取り囲まれた第３の遮蔽導体によって少なくとも部分的に軸方向に取り囲まれた第３のコア導体を有する第３の遮蔽されたワイヤケーブルを用意するステップと、長手方向軸線、第１の軸方向通路ならびに第１、第２の、および第３の接点を画定する遮蔽体を用意するステップであって、前記遮蔽体は、導電材料から形成されるステップと、第２の軸方向通路を画定する内側絶縁体を用意するステップであって、前記内側絶縁体は、誘電性材料から形成される、ステップとを含む。方法はまた、第１の中心導体を第２の中心導体および第３の中心導体に接合するステップと、接合された第１、第２、および第３の内側導体を第２の軸方向通路内に配設するステップと、内側絶縁体ならびに第１、第２、および第３の遮蔽導体を第１の軸方向通路内に配設するステップであって、内側絶縁体内に配設された第１、第２、および第３の遮蔽導体の部分は、長手方向軸線に対して実質的に平行である、ステップと、第１、第２、および第３の絶縁性ジャケットを互いから分離するステップとを含む。方法は、さらに、第１の接点を第１の遮蔽導体に、第２の接点を第２の遮蔽導体に、第３の接点を第３の遮蔽導体に取り付け、それによって、第１と、第２と、第３の遮蔽導体との間に導電性通路をもたらすステップと、非導電性材料から形成された外側絶縁体を用意するステップと、遮蔽体を外側絶縁体内に配設するステップと、外側絶縁体を、第１、第２、および第３の絶縁性ジャケットに封止可能に係合させ、それによって、遮蔽体を外側絶縁体内に封入するステップとを含む。接合された第１、第２、および第３の内側導体は、第２の軸方向通路内に摺動可能に配設され得、第１、第２、および第３の遮蔽導体は、第１の軸方向通路内に摺動可能に配設され得る。
【０００８】
[0008]第１、第２、および第３の接点のそれぞれが穴を画定する場合、方法は、はんだペーストを第１、第２、および第３の接点の内部に、その中に画定された穴から注入するステップと、はんだペーストをこれがリフロー（reflow）するまで加熱し、それによって、第１、第２、および第３の接点を第１、第２、および第３の遮蔽導体それぞれにはんだ付けするステップとを含むことができる。方法は、任意選択で、第１、第２、および第３のフェルールを用意するステップと、第１、第２、および第３のフェルールを第１、第２、および第３の遮蔽導体それぞれに取り付けるステップと、第１、第２、および第３のフェルールを、第１、第２、および第３の接点それぞれに圧着し、それによって第１、第２、および第３の接点を第１、第２、および第３の遮蔽導体それぞれに取り付けるステップとを含むことができる。
【０００９】
[0009]スリーブが、第１のスリーブ部分および第２のスリーブ部分を含む場合、方法は、追加的に、第１のスリーブ部分を第２のスリーブ部分に接合し、それによって接合された第１、第２、および第３の内側導体を第２の軸方向通路内に配設するステップを含むことができる。
【００１０】
[0010]内側絶縁体が、第１の内側絶縁体部分および第２の内側絶縁体部分を含む場合、方法は、さらに、第１の内側絶縁体部分を第２の内側絶縁体部分に接合し、それによって内側絶縁体ならびに第１、第２、および第３の遮蔽導体を第１の軸方向通路内に配設するステップを含むことができる。
【００１１】
[0011]外側絶縁体が、外側絶縁体および少なくとも１つの遮蔽されたワイヤケーブルを封止可能に係合するように構成された端部キャップ（end cap）をさらに含む場合、方法はまた、端部キャップを少なくとも１つの遮蔽されたワイヤケーブルに封止可能に係合させるステップと、端部キャップを外側絶縁体に封止可能に係合させ、それによって遮蔽体を外側絶縁体内に封入するステップとを含むことができる。
【００１２】
[0012]本発明のさらなる特徴および利点は、非限定的な例として、添付の図を参照することによって与えられた本発明の好ましい実施形態の以下の詳細な説明を読み取ることにより、よりはっきりと明確になろう。
【００１３】
[0013]本発明は、次に、以下の添付の図を参照して例として説明される。
【図面の簡単な説明】
【００１４】
【図１】[0014]従来技術の電気負荷連結の仕組みの概略図である。
【図２】[0015]第１および第２の実施形態による電気負荷連結の仕組みの概略図である。
【図３】[0016]第１の実施形態による、中心導体のスプライス接続を有するワイヤハーネス組立体の図である。
【図４】[0017]第１の実施形態による、遮蔽されたワイヤケーブル上に事前装填された内側絶縁体を有するワイヤハーネス組立体の斜視図である。
【図５】[0018]第１の実施形態による、中心導体のスプライス接続を封入する内側絶縁体を有するワイヤハーネス組立体の斜視図である。
【図６】[0019]第１の実施形態による、中心導体のスプライス接続を封入する図５のワイヤハーネス組立体の内側絶縁体の半透明の斜視図である。
【図７】[0020]第１の実施形態による、中心導体のスプライス接続を封入する図６のワイヤハーネス組立体の内側絶縁体の切断図である。
【図８】[0021]第１の実施形態による、遮蔽されたワイヤケーブル上に事前装填された遮蔽体を有するワイヤハーネス組立体の斜視図である。
【図９】[0022]第１の実施形態による、内側絶縁体を封入する図８のワイヤハーネス組立体の遮蔽体の斜視図である。
【図１０】[0023]第１の実施形態による、内側絶縁体を封入する図９のワイヤハーネス組立体の遮蔽体の切断図である。
【図１１Ａ】[0024]第１の実施形態による、図１０のワイヤハーネス組立体の接点を遮蔽導体に圧着する斜視図である。
【図１１Ｂ】[0025]第１の実施形態による、図１０のワイヤハーネス組立体の接点およびワイヤの分離を示す上部の詳細図である。
【図１２】[0026]第１の実施形態による、図１０のワイヤハーネス組立体の遮蔽体を封入する外側絶縁体の斜視図である。
【図１３】[0027]第１の実施形態による、ワイヤハーネス組立体の斜視図である。
【図１４】[0028]第２の実施形態による、ワイヤリングハーネス（wiring harness）組立体の分解斜視図である。
【図１５】[0029]第２の実施形態による、図１４のワイヤリングハーネス組立体の内側絶縁体の斜視図である。
【図１６】[0030]第２の実施形態による、図１４のワイヤリングハーネス組立体の内側絶縁体の組み立ての斜視図である。
【図１７】[0031]第２の実施形態による、スリーブの一部分内に配設された図１４のワイヤリングハーネス組立体の内側絶縁体の組み立ての斜視図である。
【図１８】[0032]第２の実施形態による、スリーブ内に封入された図１４のワイヤリングハーネス組立体の内側絶縁体の組み立ての斜視図である。
【図１９】[0033]第２の実施形態による、締め付け装置と、図１４のワイヤリングハーネス組立体のスリーブによって画定された接点との組み立ての斜視図である。
【図２０】[0034]第２の実施形態による、図１４のワイヤリングハーネス組立体のスリーブの斜視図である。
【図２１】[0035]第２の実施形態による、図１４のワイヤリングハーネス組立体の外側絶縁体内における遮蔽組立体の組み立ての斜視図である。
【図２２】[0036]第２の実施形態による、端部キャップと、図１４のワイヤリングハーネス組立体の遮蔽されたワイヤケーブルの組み立ての斜視図である。
【図２３】[0037]第２の実施形態による、端部キャップと、図１４のワイヤリングハーネス組立体の外側絶縁体の組み立ての斜視図である。
【図２４】[0038]第２の実施形態による、別のワイヤリングハーネス組立体の別の外側絶縁体に連結されたワイヤリングハーネス組立体の外側絶縁体の斜視図である。
【図２５Ａ】[0039]第２の実施形態による、ワイヤリング導管内に配設された２つのワイヤリングハーネス組立体の側面図である。
【図２５Ｂ】[0040]第２の実施形態による、ワイヤリング導管内に配設された２つのワイヤリングハーネス組立体の端面図である。
【図２６Ａ】[0041]第３の実施形態による、４つの遮蔽されたワイヤケーブルを含むワイヤリングハーネス組立体の図である。
【図２６Ｂ】第３の実施形態による、４つの遮蔽されたワイヤケーブルを含むワイヤリングハーネス組立体の図である。
【図２６Ｃ】第３の実施形態による、４つの遮蔽されたワイヤケーブルを含むワイヤリングハーネス組立体の図である。
【図２７Ａ】[0042]第１および第２の実施形態による、遮蔽されたワイヤケーブルを一緒にスプライス接続する方法の流れ図である。
【図２７Ｂ】第１および第２の実施形態による、遮蔽されたワイヤケーブルを一緒にスプライス接続する方法の流れ図である。
【発明を実施するための形態】
【００１５】
[0043]２つまたはそれ以上の遮蔽されたワイヤケーブルを一緒にスプライス接続するための装置および方法が、本明細書において説明される。装置および方法は、単一の中心導体または複数の中心導体を備えた遮蔽されたワイヤケーブルをスプライス接続するために使用され得る。本明細書において説明される装置および方法は、たとえば、切断されたケーブルを補修するために、２つの遮蔽ワイヤケーブルを一緒にスプライス接続するために使用され得る。本明細書において説明される装置および方法はまた、Ｙ−スプライス接続を形成するために、１つの遮蔽されたワイヤケーブルを２つまたはそれ以上の遮蔽されたワイヤケーブルにスプライス接続するために使用され得る。本明細書において説明される装置および方法は、たとえば、ＲＧ−５９ケーブルなどの通信伝送のための遮蔽されたワイヤケーブル、または電気もしくはハイブリッド電気車両用に設計された高圧の遮蔽されたワイヤケーブルなどの多様な遮蔽されたワイヤケーブルの種類をスプライス接続するために使用され得る。
【００１６】
[0044]図１は、電気負荷１を電気車両などの電池パック２に連結するための従来技術の仕組みを示す。各電気負荷１は、電池パック２から電気負荷１まで延びる高圧の遮蔽されたワイヤケーブル（正３および負４の極性）の対と、回路の各々を保護する別個のヒューズ（換言すれば、可溶片）５とを必要とする。
【００１７】
[0045]図２は、本明細書において提示される装置および方法を用いて、正極ケーブルの対１３および負極ケーブル１４の対を一緒にスプライス接続することによって、電気車両などにおいて電気負荷１１を電池パック１２に連結するための仕組みの非限定的な例を示す。本発明者らは、たとえば電気負荷１１が同時に使用されないという理由で、いくつかの回路が、組み合わされ、単一のヒューズ１５を共有することができることを見出した。電気負荷１１はまた、電気負荷１１が、同時に使用されないように１つずつ作動することを可能にする制御装置２２に連結されてもよく、または、制御装置は、電気負荷１１の各々によって使用される電流を監視し、電気負荷１１の各々を、電気負荷１１によって使用される総電流が、ヒューズ１５を飛ばす、すなわち開くのに必要とされる電流定格未満であるように制御することができる。本発明者らは、これらの電気負荷１に至る高圧の遮蔽されたワイヤケーブル１３、１４の対が、遮蔽されたケーブルスプライス接続装置２０（これ以後装置２０）を用いて図２に示されるように一緒にスプライス接続され得ることを認識しており、この装置２０は、遮蔽されたワイヤケーブル１３、１４の遮蔽導体（図示されず）の分離性および連続性を維持しながら、遮蔽されたワイヤケーブル１３、１４の中心導体１７を連結し、それによって電気負荷１１を電池パック１２に相互連結するのに必要とされる遮蔽されたワイヤケーブル１３、１４の長さを低減し、したがって遮蔽されたワイヤケーブル１３、１４のコスト、重量、実装空間、およびワイヤリングハーネスのワイヤ引き回しの複雑性を低減する。複数の電気負荷１１が単一のヒューズ１５を共有することができるので、電池パック１２内のヒューズ付き回路の数もまた低減されることが可能であり、ヒューズ１５の数およびケーブル連結器１６の数を、図１の従来技術の仕組みと比べて低減することによって電池パック１２のコストおよび複雑性をさらに低減する。
【００１８】
[0046]図３は、３つの高圧の遮蔽されたワイヤケーブル、すなわち、一緒にスプライス接続された、第１の遮蔽されたケーブル１１０、第２の遮蔽されたケーブル１１２、および第３の遮蔽されたケーブル１１４の非限定的な例を示す。遮蔽されたケーブル１１０、１１２、１１４の各々の中心導体１１６、１１８、１２０は、音波溶接プロセスによって接合されて連結部１２２を形成している。外側絶縁層１２４、１２６、１２８、遮蔽導体１３０、１３２、１３４、および内側絶縁層１３６、１３８、１４０の一部分は、連結部１２２を形成する前に中心導体１１６、１１８、１２０から取り外されている。あるいは、導体を導電性スリーブ内にはんだ付けする、または圧着するなどの、当業者によく知られている他のプロセスが、連結部１２２を形成するために使用されてよい。遮蔽導体１３０、１３２、１３４の各々のさらなる部分が、取り除かれ、または切り出されて、中心導体１１６、１１８、１２０と、遮蔽導体１３０、１３２、１３４の間に、漏出電流を防止するのに十分な電圧沿面（換言すれば、クリーページ）距離１４２をもたらし、それによって遮蔽されたケーブル１１０、１１２、１１４の内側絶縁層１３６、１３８、１４０を露出させる。追加的に、導電性フェルール１４４、１４６、１４８が、遮蔽導体１３０、１３２、１３４に機械的および電気的に取り付けられて、遮蔽導体１３０、１３２、１３４とのより耐性のある電気的連結をもたらすことができる。フェルールは、連結部１２２を形成する前に圧着またははんだ付けによって遮蔽導体に取り付けられる閉鎖型または樽形タイプのフェルールでよく、またはフェルールは、連結部１２２の形成後に圧着によって遮蔽導体に取り付けられ得る開放型またはクリップタイプのフェルールでよい。フェルールは、はんだ材料から形成されてよく、このはんだ材料は、たとえば誘導加熱によって、フェルールがリフローし、接点を遮蔽導体に接合するまで加熱される。フェルールは、遮蔽導体と内側絶縁層の間に配設された内側フェルールと、遮蔽導体の上に配設された外側フェルールとを備えることができる。導電性フェルール１４４、１４６、１４８を遮蔽導体１３０、１３２、１３４に取り付けるために使用される材料および方法は、当業者によく知られている。
【００１９】
[0047]図４から図１５は、第１の実施形態による、３つの遮蔽されたワイヤケーブル１１０、１１２、１１４の中心導体１１６、１１８、１２０および遮蔽導体１３０、１３２、１３４の両方が一緒にスプライス接続される、遮蔽されたケーブル組立体１５０を形成するプロセスの非限定的な例を示す。ここで示される実施形態は、３つの遮蔽されたワイヤケーブル１１０、１１２、１１４をＹスプライス接続構成で一緒にスプライス接続するように構成される。しかし、２つだけの遮蔽されたワイヤケーブルを一緒に、または４つ以上の遮蔽されたワイヤケーブルを一緒にスプライス接続するように構成された代替的実施形態が、企図され得る。
【００２０】
[0048]図４に示されるように、ワイヤケーブル組立体１５０は、誘電性材料から形成された内側絶縁体１５２を含む。誘電性材料は、（商標名ＮＹＬＯＮによって一般的に知られている）ガラス充填ポリアミド、またはポリブチレンテレフタレート（ＰＢＴ）などのポリマー材料でよい。内側絶縁体１５２は、射出成形プロセスまたは当業者に知られている他のプラスチック形成プロセスを用いて形成され得る。内側絶縁体１５２は、連結部１２２の露出された部分および遮蔽されたケーブル１１０、１１２、１１４の露出された内側絶縁層１３６、１３８、１４０の一部分を封入するように設計される。
【００２１】
[0049]内側絶縁体１５２は、連結部１２２と、接合された、遮蔽されたワイヤケーブル１１０、１１２、１１４とを収容するように設計された、これ以後溝（channel）１５４と称される軸方向通路１５４を画定する。図５および６に示されるように、内側絶縁体１５２は、次いで、単一の遮蔽されたケーブル１１０の上で長手方向軸線Ａに沿って方向１５６に連結部１２２の上で摺動され得、遮蔽導体１３０、１３２、１３４を露出させる。
【００２２】
[0050]図７に示されるように、内側絶縁体１５２の溝１５４は、肩部１５８を画定して、２つの接合された内側導体１１８、１２０に対する確動停止部をもたらし、連結部１２２および露出された遮蔽導体１３０、１３２、１３４に対する内側絶縁体１５２の適正な位置決めを確実にする。内側絶縁体１５２は、対称形状を有して設計されてよく、それにより、肩部１５８は、内側絶縁体１５２が単一の遮蔽されたワイヤケーブル１１０上に置かれたとき、内側絶縁体１５２の配向に関係なく２つの接合された内側導体１１８、１２０と接触する。
【００２３】
[0051]図８に示されるように、ワイヤケーブル組立体１５０は、さらに、これ以後空洞１６１と称される軸方向通路１６１を長手方向軸線Ａに沿って画定する、導電性材料から形成されたスリーブ１６０を含む。スリーブ１６０を形成するために使用される導電性材料は、好ましくは、黄銅４２５などの銅合金であり、耐腐食性のためにスズで被覆され得る。図９に示されるように、スリーブ１６０は、長手方向軸線Ａに沿って方向１５６に内側絶縁体１５２の上を摺動され得、内側絶縁体を空洞１６１内に配設する。スリーブ１６０は、遮蔽導体１３０、１３２、１３４と機械的および電気的に接触するように圧着されるように設計された接点１６２、１６４、１６６を画定する。スリーブ１６０は、略楕円形の断面を画定することができる。本明細書では、略楕円形の断面とは、スリーブの円周方向形状が、楕円形断面のものから＋−１０％を超えて変動しないことを意味する。
【００２４】
[0052]図１０に示されるように、スリーブ１６０は、内側絶縁体１５２の上で適正な位置にスリーブ１６０を保持する係止要素１６８を画定することができる。係止要素１６８は、傾斜構造体１７０の対を画定することができ、この場合、傾斜構造体１７０の１つは、スリーブ１６０が長手方向軸線Ａに沿って係止部の上を方向１５６に摺動するときに偏向され、その後、所定位置に跳ね返るように設計され、それによって、内側絶縁体１５２を係止要素１６８間に捕捉する。あるいは、スリーブは、長手方向軸線に沿って方向１５６の反対の方向に摺動されてよい。スリーブ１６０は、対称形状を備えて設計されてよく、それにより、係止要素１６８は、スリーブ１６０が単一の遮蔽されたワイヤケーブル１１０上に置かれたとき、配向に関係なくスリーブ１６０を内側絶縁体１５２に固定する。当業者によく知られている他の係止要素が、代替的には、スリーブ１６０を内側絶縁体１５２の上で所定位置に固定するために利用されてよい。内側絶縁体１５２の肩部１５８およびスリーブ１６０の係止要素１６８は共働して、露出された遮蔽導体１３０、１３２、１３４またはフェルールを、接点１６２、１６４、１６６に対して位置決めする。これは、製造プロセスにおいて、接点と遮蔽導体の間のより一貫した連結という利益を提供する。
【００２５】
[0053]図１１に示されるように、接点１６２、１６４、１６６は、機械的な力を加えることによって遮蔽導体１３０、１３２、１３４、または遮蔽導体１３０、１３２、１３４に取り付けられたフェルールに圧着されて、スリーブ１６０と遮蔽導体１３０、１３２、１３４の間に機械的および電気的連結をもたらし、遮蔽導体１３０、１３２、１３４すべての間に電気的連続性をもたらす。図示された例によれば、スリーブは、スリーブを遮蔽導体またはフェルールに固定するために圧着されたときに変形するように構成された帯状部１７４、１７６、１７８、１８０を形成する複数のＵ字形状のスロット１７２を画定する。接点１６４、１６６を形成する帯状部１７８、１８０は、帯状部の中央部分が遮蔽されたワイヤケーブル１１２、１１４を押し開くように帯状部の中央部分に力を加え、遮蔽されたケーブルの絶縁層が分離されること、すなわち互いに物理的接触状態ではないことを確実にすることによって圧着される。遮蔽体内に封入された第１、第２、および第３の遮蔽導体の部分は、長手方向軸線Ａに対して実質的に平行である。これは、基本的には一直線になるスプライス接続をもたらし、それによって、自動車内などの限定された空間の場所内に組み込むことをより容易にすることができる。本明細書では、実質的に平行とは、絶対的に平行の＋−１０°を意味する。代替的実施形態では、スリーブ１６０は、遮蔽導体またはフェルールの周りを包み、圧着することによってこれらと連結する、従来の圧着翼を画定することができる。圧着翼は、遮蔽されたケーブルの絶縁層を分離するように構成される。別の代替の実施形態では、接点１６２、１６４、１６６は、圧着ではなく、はんだ付けまたは当業者によく知られている他のプロセスによって遮蔽導体１３０、１３２、１３４に電気的および機械的に連結され得る。
【００２６】
[0054]図１２に示されるように、誘電性材料上に形成された外側絶縁体１８２が、スリーブ１６０の上に置かれ得る。外側絶縁体１８２は、熱可塑性の熱収縮管材料から形成され得る。熱収縮管材料の適切な組成物および供給源は、当業者によく知られている。外側絶縁体１８２はまた、連結部１２２を形成する前に、鈍く切断された（blunt cut）単一の遮蔽されたワイヤケーブル１１０上に事前装填され得る。熱収縮管材料は、次いで、当業者によく知られている方法を用いて加熱されて、遮蔽されたワイヤケーブル１１０、１１２、１１４の少なくとも１つの外側絶縁層１２４、１２６、１２８と封止可能に係合し、図１３に示されるようにスリーブ１６０を封入することができる。本明細書では、封止可能に係合されるとは、外側絶縁体１８２が、埃、ゴミ、または流体などの汚染物質が、外側絶縁層１２４、１２６、１２８と外側絶縁体１８２の間に入らないようにすることを意味する。これは、外側絶縁体１８２が気密封止部を形成することを意味しない。あるいは、外側絶縁体１８２は、スリーブ１６０および遮蔽されたワイヤケーブル１１０、１１２、１１４の上に施された、シリコーンベース材料などのコンフォーマルコーティング１８４を含んでよく、またはこれからなってよい。本発明者らは、スリーブによる遮蔽されたケーブルの絶縁層の分離が、外側絶縁体と遮蔽されたケーブルの間の封止を改良するという利益をもたらすことを発見した。作動のいかなる特定の論理にも同調することなく、外側絶縁体または外側絶縁体内の封止材は、外側絶縁層１２６、１２８の円周全体と接触することができ、したがって、外側絶縁層１２６、１２８が分離されなかったまたは接触していた場合に作り出され得るいかなる空隙または隙間も回避する。
【００２７】
[0055]図１４から２５Ｂは、第２の実施形態による、３つの遮蔽されたワイヤケーブル１１０、１１２、１１４の中心導体１１６、１１８、１２０および遮蔽導体１３０、１３２、１３４の両方が一緒にスプライス接続される、遮蔽されたケーブル組立体１５０を形成するプロセスの非限定的な例を示す。ここで示される実施形態は、３つの遮蔽されたワイヤケーブル１１０、１１２、１１４をＹスプライス接続構成で一緒にスプライス接続するように構成される。しかし、２つだけの遮蔽されたワイヤケーブルを一緒に、または４つ以上の遮蔽されたワイヤケーブルを一緒にスプライス接続するように構成された他の実施形態が、企図されてよい。
【００２８】
[0056]図１４は、ワイヤケーブル組立体２５０の別の非限定的な例を示す。この実施形態における同一の要素に対する参照番号は、先に説明された実施形態と同じであり、類似の要素の参照番号は、１００多くなる。ここで示される実施形態は、図３に示され、上記の項００４２で説明されたような、遮蔽されたケーブル１１０、１１２、１１４の各々の中心導体１１６、１１８、１２０を連結して、連結部１２２を形成することによって、３つの遮蔽されたワイヤケーブル１１０、１１２、１１４を一緒にスプライス接続するように構成される。しかし、この実施形態は、４つの遮蔽されたワイヤケーブルを一緒にスプライス接続するように使用されてよく、また、２つだけの遮蔽されたワイヤケーブルを一緒に、または５つ以上の遮蔽されたワイヤケーブルを一緒にスプライス接続するように構成された他の実施形態が、企図されてよい。
【００２９】
[0057]遮蔽されたケーブル組立体２５０は、誘電性材料から形成された第１の内側絶縁体２５２Ａと、誘電性材料から形成された第２の内側絶縁体２５２Ｂとを含む。誘電性材料は、ガラス充填ＮＹＬＯＮまたはＰＢＴなどのポリマー材料でよい。第１の内側絶縁体２５２Ａおよび第２の内側絶縁体２５２Ｂは、同じ誘電性材料から形成されてよく、またはこれらは、異なる誘電性材料から形成されてよい。第１の内側絶縁体２５２Ａおよび第２の内側絶縁体２５２Ｂは、射出成形プロセスまたは当業者に知られている他のプラスチック形成プロセスを用いて形成され得る。
【００３０】
[0058]第１の内側絶縁体２５２Ａは、第２の内側絶縁体２５２Ｂに接合されるように設計され、第１の内側絶縁体２５２Ａおよび第２の内側絶縁体２５２Ｂが接合されたとき、これらは、連結部１２２と、遮蔽されたワイヤケーブル１１０、１１２、１１４の露出された内側絶縁層１３６、１３８、１４０それぞれの一部分とを封入する。
【００３１】
[0059]図１５に示されるように、第１の内側絶縁体２５２Ａおよび第２の内側絶縁体２５２Ｂは、相互連結された溝２５４Ａ、２５４Ｂの対を画定して、接合された、遮蔽されたワイヤケーブル１１０、１１２、１１４を第１の内側絶縁体２５２Ａおよび第２の内側絶縁体２５２Ｂ内に固定することができる。第１の内側絶縁体２５２Ａおよび第２の内側絶縁体２５２Ｂはまた、第１の内側絶縁体２５２Ａおよび第２の内側絶縁体２５２Ｂが、遮蔽されたワイヤケーブル１１０、１１２、１１４周りに組み立てられたときのこれらの位置合わせを容易にするために、対合するテーパにされた柱状部２５３および凹部２５５の組を含むこともできる。第１の内側絶縁体２５２Ａおよび第２の内側絶縁体２５２Ｂは、両性質（hermaphroditic）の形状を備えて設計されてよく、それにより、単一の内側絶縁体２５２が、第１の内側絶縁体２５２Ａおよび第２の内側絶縁体２５２Ｂの両方として使用され得る。ここで示される例では、接合された内側絶縁体２５２は、溝２５４Ａの未使用部分を有することができる。
【００３２】
[0060]図１８に示されるように、ワイヤケーブル組立体２５０は、さらに、長手方向軸線Ａを画定する導電性材料から形成されたスリーブ２６０を含む。スリーブ２６０を形成するために使用される導電性材料は、好ましくは、黄銅４２５などの銅合金であり、耐腐食性のためにスズで被覆され得る。スリーブ２６０は、遮蔽されたワイヤケーブル１１０、１１２、１１４の遮蔽導体１３０、１３２、１３４と機械的および電気的に接触するように設計された接点２６２、２６４、２６６を画定する。接点２６２、２６４、２６６は、スリーブ２６０から突出し、遮蔽導体１３０、１３２、１３４またはフェルールに適合するように構成された弧状形状を形成する。図１９に示されるように、接点２６２、２６４、２６６は、接点２６２、２６４、２６６の周りに圧着され得る帯状部またはスリーブなどの別個の締め付け装置２８４によって遮蔽導体１３０、１３２、１３４に固定され得る。
【００３３】
[0061]あるいは、図２０に示されるように、接点２６２、２６４、２６６は、遮蔽されたワイヤケーブル１１０、１１２、１１４の各々の遮蔽導体１３０、１３２、１３４の周りに圧着される前に弧状形状を有する圧着翼２８６を画定することができる。接点２６２、２６４、２６６は、遮蔽導体１３０、１３２、１３４と接触して、遮蔽されたワイヤケーブル１１０、１１２、１１４の各々の遮蔽導体１３０、１３２、１３４間に電気的連結をもたらすように設計される。接点２６２、２６４、２６６はまた、遮蔽されたワイヤケーブル１１０、１１２、１１４をスリーブ２６０に機械的に固定し、ケーブルの接合された中心導体１１６、１１８、１２０に歪解放（strain relief）をもたらすように設計されてもよい。
【００３４】
[0062]図１８に戻れば、スリーブ２６０は、第１の内側絶縁体２５２を封入するように、また、遮蔽されたワイヤケーブル１１０、１１２、１１４の各々がスリーブ２６０を出るためのケーブル開口を画定するように設計される。スリーブ２６０は、接点２６２Ａ、２６４Ａ、２６６Ａの組を画定する第１のスリーブ２６０Ａと、接点２６２Ｂ、２６４Ｂ、２６６Ｂの別の組を画定する第２のスリーブ２６０Ｂとから構成され得る。第１のスリーブ２６０Ａは、第２のスリーブ２６０Ｂと対合されたときに内側絶縁体を封入するように構成される。特徴部が、第１のスリーブ２６０Ａおよび第２のスリーブ２６０Ｂの接合表面に含められて、電気抵抗を低減することができる。あるいは、第１のスリーブ２６０Ａおよび第２のスリーブ２６０Ｂは、導電性のねじ式締結具を用いて一緒に固定されてよい。第１のスリーブ２６０Ａおよび第２のスリーブ２６０Ｂは、両性質の形状を備えて設計されてよく、それにより、単一の部分が、第１のスリーブ２６０Ａおよび第２のスリーブ２６０Ｂの両方として使用され得る。ここで図示される例では、未使用の開口および接点が存在し得る。接点１６４、１６６は、遮蔽されたワイヤケーブル１１２、１１４を押し開き、遮蔽されたケーブルの絶縁層が分離されること、すなわち互いに物理的接触状態ではないことを確実にする。遮蔽体内に封入された第１、第２、および第３の遮蔽導体の部分は、長手方向軸線Ａに対して実質的に平行である。これは、基本的には直列であるスプライス接続をもたらし、それによって、自動車内などの限定された空間の場所内に組み込むことをより容易にすることができる。
【００３５】
[0063]図２１に示されるように、ワイヤケーブル組立体２５０は、さらに、非導電性材料から形成されスリーブ２６０を部分的に封入するように構成された空洞２６１を画定する、外側絶縁体２８２を含むことができる。ワイヤケーブル組立体２５０はまた、遮蔽されたワイヤケーブル１１０の１つと封止可能に係合し、外側絶縁体２８２と封止可能に係合するように設計された第１の端部キャップ２８８と、他の２つの遮蔽されたワイヤケーブル１１２、１１４と封止可能に係合するように設計された第２の端部キャップ２９０とを含む。端部キャップおよび外側絶縁体２８２は、埃、ゴミ、水、および他の流体などの汚染物質を、接合された内側導体、接合された内側絶縁体およびスリーブ２６０に触れさせないことによってスプライス接続されたケーブルに対して環境的保護をもたらすように設計される。外側絶縁体２８２および端部キャップは、ＮＹＬＯＮまたはＰＢＴなどのポリマー材料から形成され得る。端部キャップはまた、シリコーンゴムなどの柔軟性を有する材料から形成された封止要素２９２を含むこともできる。本発明者らは、スリーブによる遮蔽されたケーブルの絶縁層の分離が、封止要素２９２と遮蔽されたケーブルの間の封止を改良するという利益をもたらすことを発見した。作動のいかなる特定の論理にも同調することなく、封止要素２９２は、外側絶縁層１２６、１２８の円周全体と接触することができ、したがって、外側絶縁層１２６、１２８が分離されなかったまたは接触していた場合に作り出され得るいかなる空隙または隙間も回避する。
【００３６】
[0064]図２３に最適に示されるように、外側絶縁体２８２は、図２４に示されるように複数の外側絶縁体２８２を相互連結するように設計された、雄型取り付け要素２９４および雌型取り付け要素２９６を含むことができる。これらの取り付け要素２９４、２９６は、外側絶縁体間に空間関係を維持することによってワイヤリングハーネスの組み立てを簡易化し、より頑強なワイヤリングハーネス組立体を提供することができるが、その理由は、経時的に外側絶縁体２８２を劣化させ得る外側絶縁体間の振動接触が起こりにくいためである。
【００３７】
[0065]図２５に示されるように、複数のワイヤケーブル組立体２５０は、ワイヤリング導管２９８によって封入され得るように互いにずらされた配置（換言すれば、ジグザグ配列）で配置され得る。ワイヤケーブル組立体２５０を互いにずらすことは、導管をより小さくするという利益を提供することができ、したがってその結果得られるワイヤリングハーネスのための組み込み空間をあまり必要としない。
【００３８】
[0066]代替的実施形態が、図４〜２５に示された２つの実施形態のさまざまな特徴を組み合わせることによって企図され得る。たとえば、内側絶縁体１５２およびスリーブ１６０は、内側絶縁体２５２およびスリーブ２６０に類似して、２つの別個の部分を含むことができる。別の例として、スリーブ１６０は、スリーブ２６０に類似して、接点の周りに圧着され得る帯状部またはスリーブなどの別個の締め付け装置によって遮蔽導体またはフェルールに取り付けられる、スリーブから突出する接点を画定することができる。
【００３９】
[0067]図２６は、遮蔽されたワイヤケーブルを一緒にスプライス接続する非限定的な方法３００を示す。方法３００は以下のステップを含む。
【００４０】
[0068]ステップ３１０「第１、第２、および第３の遮蔽されたワイヤケーブルを提供する」は、第１の絶縁性ジャケットによって少なくとも部分的に軸方向に取り囲まれた第１の遮蔽導体によって少なくとも部分的に軸方向に取り囲まれた第１のコア導体を有する第１の遮蔽されたワイヤケーブルを提供するステップと、第２の絶縁性ジャケットによって少なくとも部分的に軸方向に取り囲まれた第２の遮蔽導体によって少なくとも部分的に軸方向に取り囲まれた第２のコア導体を有する第２の遮蔽されたワイヤケーブルを提供するステップと、第３の絶縁性ジャケットによって少なくとも部分的に軸方向に取り囲まれた第３の遮蔽導体によって少なくとも部分的に軸方向に取り囲まれた第３のコア導体を有する第３の遮蔽されたワイヤケーブルを提供するステップとを含み、これは図３に示される。
【００４１】
[0069]ステップ３１２「長手方向軸線、第１の軸方向通路、ならびに第１、第２、および第３の接点を画定する遮蔽体を提供する」は、長手方向軸線、第１の軸方向通路、第１の接点、第２の接点、および第３の接点を画定する遮蔽体を提供するステップを含む。遮蔽体は、導電性材料から形成される。遮蔽体は、図９に示されるように一体品から形成されてよく、または図１４に示されるように複数の部分から形成されてよい。
【００４２】
[0070]ステップ３１４「第２の軸方向通路を画定する内側絶縁体を提供する」は、第２の軸方向通路を画定する内側絶縁体を提供するステップを含む。内側絶縁体は、誘電性材料から形成される。内側絶縁体は、図５に示されるように一体品から形成されてよく、または図１４に示されるように複数の部分から形成されてよい。
【００４３】
[0071]ステップ３１６「第１の中心導体を第２の中心導体および第３の中心導体に接合する」は、第１の中心導体を第２の中心導体および第３の中心導体に接合して、図３に示されるように中心導体間の機械的および電気的連結を形成するステップを含む。中心導体は、音波溶接、はんだ付け、または当業者に知られているワイヤを接合する他の方法によって接合され得る。内側絶縁体およびフェルールは、中心導体を接合する前に遮蔽されたケーブル上に事前装填され得る。
【００４４】
[0072]ステップ３１８「接合された第１、第２、および第３の内側導体を第２の軸方向通路内に配設する」は、図６および図１５に示されるように、接合された第１、第２、および第３の内側導体を含む連結部を、内側絶縁体の第２の軸方向通路、または溝内に配設するステップを含む。接合された第１、第２、および第３の内側導体は、図６に示されるように第２の軸方向通路内に摺動可能に配設され得る。
【００４５】
[0073]ステップ３２０「内側絶縁体ならびに第１、第２、および第３の遮蔽導体を第１の軸方向通路内に配設する」は、内側絶縁体ならびに第１、第２、および第３の遮蔽導体を、図８〜９および図１７〜１８に示されるように、第１の軸方向通路内に配設するステップを含む。内側絶縁体内に配設された第１、第２、および第３の遮蔽導体の部分は、長手方向軸線に対して実質的に平行である。内側絶縁体ならびに第１、第２、および第３の遮蔽導体は、図８〜９に示されるように第１の軸方向通路内に摺動可能に配設され得る。
【００４６】
[0074]ステップ３２２「第１、第２、および第３の絶縁性ジャケットを互いに分離させる」は、第１、第２、および第３の絶縁性ジャケットを互いに分離させるステップを含む。これは、図１１および図１９に示されるように、第１、第２、および第３の導体を接点に連結することによって達成され得る。
【００４７】
[0075]ステップ３２４「第１の接点を第１の遮蔽導体に、第２の接点を第２の遮蔽導体に、第３の接点を第３の遮蔽導体に取り付ける」は、第１の接点を第１の遮蔽導体に、第２の接点を第２の遮蔽導体に、第３の接点を第３の遮蔽導体に取り付けるステップであって、それによって第１、第２、および第３の遮蔽導体間に導電性通路をもたらす、ステップを含む。接点は、圧着翼、フェルール、はんだ付け、または当業者に知られている他の方法によって遮蔽導体に取り付けられ得る。
【００４８】
[0076]ステップ３２６「遮蔽体を外側絶縁体内に配設する」は、図１２および図２１〜２２に示されるように、遮蔽体を外側絶縁体内に配設するステップを含む。
【００４９】
[0077]ステップ３２８「外側絶縁体を第１、第２、および第３の絶縁性ジャケットに封止可能に係合させる」は、外側絶縁体を第１、第２、および第３の絶縁性ジャケットに封止可能に係合させるステップであって、それによって、図１３および図２２〜２３に示されるように、遮蔽体を外側絶縁体内に封入する、ステップを含む。
【００５０】
[0078]方法３００は、さらに、以下の任意選択のステップを含むことができる。
【００５１】
[0079]ステップ３２４に先立って、方法３００は、ステップ３３０「第１、第２、および第３のフェルールを提供する」を含むことができ、これは、第１、第２、および第３のフェルールを提供するステップを含む。
【００５２】
[0080]ステップ３３０に続いて、方法３００は、ステップ３３２「第１、第２、および第３のフェルールを第１、第２、および第３の遮蔽導体それぞれに取り付ける」を含むことができ、これは、第１、第２、および第３のフェルールを第１、第２、および第３の遮蔽導体それぞれに取り付けるステップを含む。
【００５３】
[0081]ステップ３３０に続いて、方法３００は、ステップ３３４「第１、第２、および第３のフェルールを第１、第２、および第３の接点それぞれに圧着する」を含むことができ、これは、第１、第２、および第３のフェルールを第１、第２、および第３の接点それぞれに圧着するステップであって、それによって第１、第２、および第３の接点を第１、第２、および第３の遮蔽導体それぞれに取り付ける、ステップを含む。
【００５４】
[0082]ステップ３２４に先立って、方法３００は、ステップ３３６「はんだペーストを第１、第２、および第３の接点の内部に、そこに画定された穴を通して注入する」を含むことができ、これは、はんだペーストを第１、第２、および第３の接点の内部に、第１、第２、および第３の接点によって画定された穴を通して注入するステップを含む。
【００５５】
[0083]ステップ３３６に続いて、方法３００は、ステップ３３８「はんだペーストを、これがリフローするまで加熱する」を含むことができ、これは、はんだペーストを、これがリフローするまで加熱するステップであって、それによって第１、第２、および第３の接点を第１、第２、および第３の遮蔽導体それぞれにはんだ付けする、ステップを含む。
【００５６】
[0084]ステップ３２０に先立って、方法３００は、ステップ３４０「第１のスリーブ部分を第２のスリーブ部分に接合する」を含むことができ、これは、第１のスリーブ部分を第２のスリーブ部分に接合するステップであって、それによって、接合された第１、第２、および第３の内側導体を第２の軸方向通路内に配設するステップを含み、この場合、スリーブは、第１のスリーブ部分および第２のスリーブ部分を含む。
【００５７】
[0085]ステップ３１８に先立って、方法３００は、ステップ３４２「第１の内側絶縁体部分を第２の内側絶縁体部分に接合する」を含むことができ、これは、第１の内側絶縁体部分を第２の内側絶縁体部分に接合するステップであって、それによって、内側絶縁体ならびに第１、第２、および第３の遮蔽導体を第１の軸方向通路内に配設する、ステップを含み、この場合、内側絶縁体は、第１の内側絶縁体部分および第２の内側絶縁体部分を含む。
【００５８】
[0086]ステップ３２６に続いて、方法３００は、ステップ３４４「端部キャップを少なくとも１つの遮蔽されたワイヤケーブルに封止可能に係合させる」を含むことができ、これは、端部キャップを少なくとも１つの遮蔽されたワイヤケーブルに封止可能に係合させるステップを含み、この場合、外側絶縁体は、さらに、外側絶縁体および少なくとも１つの遮蔽されたワイヤケーブルと封止可能に係合するように構成された端部キャップを含む。
【００５９】
[0087]ステップ３４４に続いて、方法３００は、ステップ３４６「端部キャップを外側絶縁体に封止可能に係合させる」を含むことができ、これは、端部キャップを外側絶縁体に係合させるステップであって、それによって遮蔽体を外側絶縁体内に封入する、ステップを含む。
【００６０】
[0088]こうして、中心導体と、中心導体から絶縁され、これを取り囲む遮蔽導体とを有する遮蔽されたワイヤケーブルを一緒に接合するためのワイヤケーブル組立体１５０、２５０、および方法５００が、提供される。ワイヤケーブル組立体１５０、２５０は、電気およびハイブリッド電気車両のワイヤリングハーネスにおいて使用され得る。この用途では、１つのワイヤケーブル組立体１５０、２５０が、電池パック１２の正端子を２つまたはそれ以上の電気負荷１１に連結するために使用されてよく、別のワイヤケーブル組立体１５０、２５０が、電池パック１２の負端子を同じ２つまたはそれ以上の電気負荷１１に連結するために使用されてよい。ワイヤケーブル組立体内のスプライス接続は、ケーブルの経路に沿って互いからオフセットされて、ワイヤリングハーネスに必要とされる組み込み空間を最小限に抑えることができる。電池パック１２をワイヤケーブル組立体１５０、２５０を用いて複数の電気負荷１１に連結することは、ワイヤリングハーネス内の遮蔽導体１３０、１３２、１３４の電気的連続性を維持しながら、必要とされるケーブルの長さの短縮および必要とされる組み込み空間の減少によってコストを低減するという利益をもたらす。
【００６１】
[0089]本発明は、その好ましい実施形態に関して説明されてきたが、これは、そのように限定されるよう意図されず、それよりも、後続の特許請求の範囲に記載された程度にのみ限定されるよう意図される。さらに、用語の第１、第２などの使用は、重要性の程度を示すものではなく、用語の第１、第２などは、１つの要素を別のものと区別するために使用される。さらに、用語１つ（a）、１つ（an）などの使用は、量の限定を示すものではなく、参照される項目の少なくとも１つの存在を示す。
本発明は、以下の態様を含む。
１．ワイヤハーネス組立体であって、
第１の絶縁性ジャケット（１２４）によって少なくとも部分的に軸方向に取り囲まれた第１の遮蔽導体（１３０）によって少なくとも部分的に軸方向に取り囲まれた第１のコア導体（１１６）を有する第１の遮蔽されたワイヤケーブル（１１０）と、
第２の絶縁性ジャケット（１２６）によって少なくとも部分的に軸方向に取り囲まれた第２の遮蔽導体（１３２）によって少なくとも部分的に軸方向に取り囲まれた第２のコア導体（１１８）を有する第２の遮蔽されたワイヤケーブル（１１２）と、
第３の絶縁性ジャケット（１２８）によって少なくとも部分的に軸方向に取り囲まれた第３の遮蔽導体（１３４）によって少なくとも部分的に軸方向に取り囲まれた第３のコア導体（１２０）を有する第３の遮蔽されたワイヤケーブル（１１４）とを備え、前記第１、第２、および第３のコア導体（１１６、１１８、１２０）は、直接的に接合された部分（１２２）を形成し、前記第１、第２、および第３の遮蔽導体（１３０、１３２、１３４）は、互いから物理的に分離され、さらに前記ワイヤハーネス組立体は、
長手方向軸線（Ａ）ならびに前記第１、第２、および第３の遮蔽導体（１３０、１３２、１３４）の一部分を封入する第１の軸方向通路を画定し、前記第１の遮蔽導体（１３０）に取り付けられる第１の接点（１６２）、前記第２の遮蔽導体（１３２）に取り付けられる第２の接点（１６４）、および前記第３の遮蔽導体（１３４）に取り付けられる第３の接点（１６６）を画定する導電性スリーブ（１６０）であって、前記第１、第２、および第３の絶縁性ジャケット（１２４、１２６、１２８）は、互いから分離され、前記第１、第２、および第３の遮蔽導体（１３０、１３２、１３４）の封入された部分は、前記長手方向軸線（Ａ）に対して実質的に平行である、導電性スリーブ（１６０）と、
前記第１、第２、および第３の絶縁性ジャケット（１２４、１２６、１２８）と封止可能に係合し、前記導電性スリーブ（１６０）を封入する外側絶縁体（１８２）とを備える、ワイヤハーネス組立体。
２．前記第１の軸方向通路内に配設され前記第１、第２、および第３のコア導体（１１６、１１８、１２０）の前記接合された部分（１２２）を封入する、第２の軸方向通路（１５４）を画定する内側絶縁体（１５２）をさらに備える、上記１．に記載のワイヤハーネス組立体。
３．前記内側絶縁体（１５２）および前記スリーブ（１６０）が、略楕円形の断面を有する、上記２．に記載のワイヤハーネス組立体。
４．前記第２の軸方向通路（１５４）の一部分が、単一の遮蔽されたケーブルだけが前記第２の軸方向通路（１５４）の前記部分内に配設され得るように狭くされる、上記２．に記載のワイヤハーネス組立体。
５．前記第１、第２、および第３の接点（１６０、１６２、１６４）が、複数のフェルールによって前記第１、第２、および第３の遮蔽導体（１３０、１３２、１３４）にそれぞれ取り付けられる、上記２．に記載のワイヤハーネス組立体。
６．前記スリーブ（２６０）が、第２のスリーブ部分（２６０Ｂ）に接合されるように構成された第１のスリーブ部分（２６０Ａ）を含む、上記５．に記載のワイヤハーネス組立体。
７．前記内側絶縁体（２５２）が、第２の内側絶縁体部分（２５２Ｂ）に接合されるように構成された第１の内側絶縁体部分（２５２Ａ）を含む、上記６．に記載のワイヤハーネス組立体。
８．前記スリーブ（１６０）が、前記第１の接点（１６２）を形成するように構成された圧着翼を画定し、前記スリーブが、前記第２および第３の接点（１６４、１６６）を形成するように構成されたＵ字形状のスロットを画定する、上記１．に記載のワイヤハーネス組立体。
９．前記第１、第２、および第３の接点（１６４、１６４、１６６）がそれぞれ、前記第１、第２、および第３の接点（１６４、１６４、１６６）の内部へのはんだペーストの注入を可能にするように構成された穴を画定する、上記８．に記載のワイヤハーネス組立体。
１０．第１、第２、および第３の遮蔽導体（１３０、１３２、１３４）の各々に取り付けられる複数のフェルールをさらに備え、前記第１、第２、および第３の接点（１６４、１６４、１６６）が、前記複数のフェルールの少なくとも１つに取り付けられる、上記９．に記載のワイヤハーネス組立体。
１１．前記複数のフェルールの少なくとも１つが、はんだから形成される、上記１０．に記載のワイヤハーネス組立体。
１２．第１の端子および第２の端子を有する電池パック（１２）と、
前記電池パックに電気的に結合された第１および第２の電気負荷（１１Ａ、１１Ｂ）と、
各々が上記１．に記載のワイヤハーネス組立体である、第１のワイヤハーネス組立体（１３）および第２のワイヤハーネス組立体（１４）とを備える装置であって、
前記第１のワイヤハーネス組立体（１３）の第１の遮蔽されたワイヤケーブル（１３Ａ）が、前記第１の端子に連結され、前記第１のワイヤハーネス組立体（１３）の第２の遮蔽されたワイヤケーブル（１３Ｂ）が、前記第１の電気負荷（１１Ａ）に連結され、前記第１のワイヤハーネス組立体（１３）の第３の遮蔽されたワイヤケーブル（１３Ｃ）が、前記第２の電気負荷（１１Ｂ）に連結され、
前記第２のワイヤハーネス組立体（１４）の第１の遮蔽されたワイヤケーブル（１４Ａ）が、可溶性連結部（１５）を介して前記第２の端子に連結され、前記第２のワイヤハーネス組立体（１４）の第２の遮蔽されたワイヤケーブル（１４Ｂ）が、前記第１の電気負荷（１１Ａ）に連結され、前記第２のワイヤハーネス組立体（１４）の第３の遮蔽されたワイヤケーブル（１４Ｃ）が、前記第２の電気負荷（１１Ｂ）に連結される、装置。
１３．前記第１および第２の電気負荷（１１Ａ、１１Ｂ）と連通し、前記第１および第２の電気負荷（１１Ａ、１１Ｂ）を、前記第２のワイヤハーネス組立体（１４）の前記第１の遮蔽されたワイヤケーブル（１４Ａ）を流れる電流が、前記可溶性連結部（１５）を開くのに必要とされる閾値未満であるように制御するように構成された制御装置（２２）をさらに備える、上記１２．に記載の装置。
１４．第１および第２のワイヤハーネス組立体（１３、１４）の各対が、１つだけの可溶性連結部（１５）に連結される、上記１２．に記載の装置。
１５．遮蔽されたワイヤケーブルを一緒にスプライス接続する方法（３００）であって、
第１の絶縁性ジャケットによって少なくとも部分的に軸方向に取り囲まれた第１の遮蔽導体によって少なくとも部分的に軸方向に取り囲まれた第１のコア導体を有する第１の遮蔽されたワイヤケーブルを用意するステップ（３１０）と、
第２の絶縁性ジャケットによって少なくとも部分的に軸方向に取り囲まれた第２の遮蔽導体によって少なくとも部分的に軸方向に取り囲まれた第２のコア導体を有する第２の遮蔽されたワイヤケーブルを用意するステップ（３１０）と、
第３の絶縁性ジャケットによって少なくとも部分的に軸方向に取り囲まれた第３の遮蔽導体によって少なくとも部分的に軸方向に取り囲まれた第３のコア導体を有する第３の遮蔽されたワイヤケーブルを用意するステップ（３１０）と、
長手方向軸線、第１の軸方向通路ならびに前記第１、第２、および第３の遮蔽導体にそれぞれ電気的に連結されるように構成された第１、第２、および第３の接点を画定する遮蔽体を用意するステップ（３１２）であって、前記遮蔽体が導電性材料から形成される、ステップ（３１２）と、
第２の軸方向通路を画定する内側絶縁体を用意するステップ（３１４）であって、前記内側絶縁体が、誘電性材料から形成される、ステップ（３１４）と、
前記第１のコア導体を前記第２のコア導体および前記第３のコア導体に接合するステップ（３１６）と、
前記接合された第１、第２、および第３の内側導体を前記第２の軸方向通路内に配設するステップ（３１８）と、
前記内側絶縁体ならびに前記第１、第２、および第３の遮蔽導体を前記第１の軸方向通路内に配設するステップ（３２０）であって、前記内側絶縁体内に配設された前記第１、第２、および第３の遮蔽導体の部分は、前記長手方向軸線に対して実質的に平行である、ステップ（３２０）と、
前記第１、第２、および第３の絶縁性ジャケットを互いから分離させるステップ（３２２）と、
前記第１の接点を前記第１の遮蔽導体に、前記第２の接点を前記第２の遮蔽導体に、前記第３の接点を前記第３の遮蔽導体に取り付け、それによって前記第１と、第２と、第３の遮蔽導体との間に導電性通路を形成するステップ（３２４）と、
非導電性材料から形成された外側絶縁体を用意するステップ（３２６）と、
前記遮蔽体を前記外側絶縁体内に配設するステップ（３２６）と、
前記外側絶縁体を、前記第１、第２、および第３の絶縁性ジャケットに封止可能に係合させ、それによって前記遮蔽体を前記外側絶縁体内に封入するステップ（３２８）とを含む、方法（３００）。
１６．前記接合された第１、第２、および第３の内側導体が、前記第２の軸方向通路内に摺動可能に配設される、上記１５．に記載の方法。
１７．前記内側絶縁体ならびに前記第１、第２、および第３の遮蔽導体が、前記第１の軸方向通路内に摺動可能に配設される、上記１５．に記載の方法。
１８．第１、第２、および第３のフェルールを用意するステップ（３３０）と、
前記第１、第２、および第３のフェルールを、前記第１、前記第２、および前記第３の遮蔽導体にそれぞれ取り付けるステップ（３３２）とをさらに含む、上記１５．に記載の方法。
１９．前記第１、第２、および第３の接点のそれぞれが、穴を画定し、前記方法が、
はんだペーストを前記第１、第２、および第３の接点の内部に、その中に画定された前記穴を通して注入するステップ（３３６）と、
前記はんだペーストを、これがリフローするまで加熱し、それによって前記第１、第２、および第３の接点を前記第１、第２、および第３の遮蔽導体にそれぞれはんだ付けするステップ（３３８）とをさらに含む、上記１５．に記載の方法。
２０．第１、第２、および第３のフェルールを用意するステップ（３３０）と、
前記第１、前記第２、および前記第３のフェルールを、前記第１、第２、および第３の接点にそれぞれ圧着し、それによって前記第１、第２、および第３の接点を前記第１、第２、および第３の遮蔽導体にそれぞれ取り付けるステップ（３３４）とをさらに含む、上記１５．に記載の方法。
２１．前記スリーブが、第１のスリーブ部分および第２のスリーブ部分を含み、前記方法が、
前記第１のスリーブ部分を前記第２のスリーブ部分に接合し、それによって前記接合された第１、第２、および第３の内側導体を前記第２の軸方向通路内に配設するステップ（３４０）をさらに含む、上記２０．に記載の方法。
２２．前記内側絶縁体が、第１の内側絶縁体部分および第２の内側絶縁体部分を含み、前記方法が、
前記第１の内側絶縁体部分を前記第２の内側絶縁体部分に接合し、それによって前記内側絶縁体ならびに前記第１、第２、および第３の遮蔽導体を前記第１の軸方向通路内に配設するステップ（３４２）をさらに含む、上記２０．に記載の方法。
２３．前記外側絶縁体が、前記外側絶縁体および少なくとも１つの遮蔽されたワイヤケーブルを封止可能に係合するように構成された端部キャップをさらに含み、前記方法が、
前記端部キャップを前記少なくとも１つの遮蔽されたワイヤケーブルに封止可能に係合させるステップ（３４４）と、
前記端部キャップを前記外側絶縁体に封止可能に係合させ、それによって前記遮蔽体を前記外側絶縁体内に封入するステップ（３４６）とをさらに含む、上記１５．に記載の方法。
２４．第１の端子および第２の端子を有する電池パック（１２）と、
前記電池パック（１２）に電気的に結合された第１および第２の電気負荷（１１Ａ、１１Ｂ）と、
第１のワイヤハーネス組立体（１３）であって、
第１の絶縁性ジャケット（１２４）によって少なくとも部分的に軸方向に取り囲まれた第１の遮蔽導体（１３０）によって少なくとも部分的に軸方向に取り囲まれた第１のコア導体（１１６）を有する第１の遮蔽されたワイヤケーブル（１３Ａ）と、
第２の絶縁性ジャケット（１２６）によって少なくとも部分的に軸方向に取り囲まれた第２の遮蔽導体（１３２）によって少なくとも部分的に軸方向に取り囲まれた第２のコア導体（１１８）を有する第２の遮蔽されたワイヤケーブル（１３Ｂ）と、
第３の絶縁性ジャケット（１２８）によって少なくとも部分的に軸方向に取り囲まれた第３の遮蔽導体（１３４）によって少なくとも部分的に軸方向に取り囲まれた第３のコア導体を有する第３の遮蔽されたワイヤケーブル（１３Ｃ）とを含み、前記第１、第２、および第３のコア導体（１１６、１１８、１２０）は、直接的に接合され（１２２）、前記第１、第２、および第３の遮蔽導体（１３０、１３２、１３４）は、互いに電気的結合され、前記第１の遮蔽されたワイヤケーブル（１１０）は、前記第１の端子に連結され、前記第２の遮蔽されたワイヤケーブル（１１２）は、前記第１の電気負荷に連結され、前記第３の遮蔽されたワイヤケーブル（１１４）は、前記第２の電気負荷（１１Ｂ）に連結される、第１のワイヤハーネス組立体（１３）と、
第２のワイヤハーネス組立体（１４）であって、
第４の絶縁性ジャケット（１２４）によって少なくとも部分的に軸方向に取り囲まれた第４の遮蔽導体（１３０）によって少なくとも部分的に軸方向に取り囲まれた第４のコア導体（１１６）を有する第４の遮蔽されたワイヤケーブル（１４Ａ）と、
第５の絶縁性ジャケット（１２６）によって少なくとも部分的に軸方向に取り囲まれた第５の遮蔽導体（１３２）によって少なくとも部分的に軸方向に取り囲まれた第５のコア導体（１１８）を有する第５の遮蔽されたワイヤケーブル（１４Ｂ）と、
第６の絶縁性ジャケット（１２８）によって少なくとも部分的に軸方向に取り囲まれた第６の遮蔽導体（１３４）によって少なくとも部分的に軸方向に取り囲まれた第６のコア導体（１２０）を有する第６の遮蔽されたワイヤケーブル（１４Ｃ）とを含み、前記第４、第５、および第６のコア導体（１１６、１１８、１２０）は、直接的に接合され（１２２）、前記第４、第５、および第６の遮蔽導体（１３０、１３２、１３４）は、互いに電気的結合され、前記第４の遮蔽されたワイヤケーブル（１４Ａ）は、可溶性連結部（１５）を介して前記第２の端子に連結され、前記第５の遮蔽されたワイヤケーブル（１４Ｂ）は、前記第１の電気負荷（１１Ａ）に連結され、前記第６の遮蔽されたワイヤケーブル（１４Ｃ）は、前記第２の電気負荷（１１Ｂ）に連結される、第２のワイヤハーネス組立体（１４）とを備える、装置。
２５．前記第１および第２の電気負荷（１１Ａ、１１Ｂ）と連通し、前記第１および第２の電気負荷（１１Ａ、１１Ｂ）を、前記第４の遮蔽されたワイヤケーブル（１４Ａ）を流れる電流が、前記可溶性連結部を開くのに必要とされる閾値未満であるように制御するように構成された制御装置（２２）をさらに備える、上記２４．に記載の装置。
２６．第１および第２のワイヤハーネス組立体（１３、１４）の各対が、１つだけの可溶性連結部（１５）に連結される、上記２４．に記載の装置。
【図１】
0006328127.tif 000002
【図２】
0006328127.tif 000003
【図３】
0006328127.tif 000004
【図４】
0006328127.tif 000005
【図５】
0006328127.tif 000006
【図６】
0006328127.tif 000007
【図７】
0006328127.tif 000008
【図８】
0006328127.tif 000009
【図９】
0006328127.tif 000010
【図１０】
0006328127.tif 000011
【図１１Ａ】
0006328127.tif 000012
【図１１Ｂ】
0006328127.tif 000013
【図１２】
0006328127.tif 000014
【図１３】
0006328127.tif 000015
【図１４】
0006328127.tif 000016
【図１５】
0006328127.tif 000017
【図１６】
0006328127.tif 000018
【図１７】
0006328127.tif 000019
【図１８】
0006328127.tif 000020
【図１９】
0006328127.tif 000021
【図２０】
0006328127.tif 000022
【図２１】
0006328127.tif 000023
【図２２】
0006328127.tif 000024
【図２３】
0006328127.tif 000025
【図２４】
0006328127.tif 000026
【図２５Ａ】
0006328127.tif 000027
【図２５Ｂ】
0006328127.tif 000028
【図２６Ａ】
0006328127.tif 000029
【図２６Ｂ】
0006328127.tif 000030
【図２６Ｃ】
0006328127.tif 000031
【図２７Ａ】
0006328127.tif 000032
【図２７Ｂ】
0006328127.tif 000033